(57)【要約】【課題】コストアップの増大を回避又は抑制しつつ、より短時間で画像処理を行うことのできる技術を提供する。【解決手段】白画像判別部７２は、各バンドの画像が均一な白画像であるか否かを判別する。圧縮部８は、各バンドについての判別結果に１つずつ順番に着目していき、均一な白画像ではないと判別された画像をもつバンドの画像については圧縮処理を行う。また、圧縮部８は、仮に白画像判別部７２により判定がなされた場合は均一な白画像であると判定される画像を圧縮した圧縮白画像を予め記憶した圧縮白画像記憶部８１を有し、均一な白画像であると判別された画像をもつバンドの画像については前記圧縮処理を行わず、前記圧縮白画像記憶部８１から前記圧縮白画像を読み出して、この圧縮白画像を当該バンドについての圧縮画像として記憶部６の圧縮後画像記憶領域６３に格納する。【選択図】図２
2010041383.tif 000002
【特許請求の範囲】
【請求項１】
１の頁に形成された画像を複数の画像領域に分けて原稿読取部から取り込む画像取得部と、
前記画像取得部により取得された各画像領域の画像について、当該画像領域の画像全体が予め定められた範囲の画素値からなるものであるか否かを各画像領域の画像ごとに判定する判定部と、
各画像領域の画像についての前記判定部による判定結果と、前記判定部により画像全体が前記予め定められた範囲の画素値からなるものであるとは判定されなかった画像領域の画像とを記憶する第１の記憶部と、
前記第１の記憶部に格納された画像に対して予め定められた処理を行う処理部と、
前記予め定められた範囲の画素値からなる画像の前記予め定められた処理後の画像を予め記憶する第２の記憶部と、
各画像領域についての前記予め定められた処理後の画像を合成する画像合成部とを備え、
前記画像合成部は、前記予め定められた範囲の画素値からなる画像を持つ第１の画像領域については、前記第２の記憶部に記憶された画像を合成対象として採用し、前記第１の画像領域以外の第２の画像領域については、前記処理部から出力される当該画像領域についての画像を合成対象として採用する画像処理装置。
【請求項２】
前記第２の記憶部は、前記処理部に設けられている請求項１に記載の画像処理装置。
【請求項３】
前記予め定められた範囲の画素値からなる画像は、白色の画像である請求項１又は２に記載の画像処理装置。
【請求項４】
前記処理部は、画像のデータ量を圧縮する圧縮処理を行うものである請求項１乃至３のいずれかに記載の画像処理装置。
【請求項５】
原稿の画像を読み取る原稿読取部と、
前記原稿読取部の読取動作で得られた画像に対して前記予め定められた処理を行う請求項１乃至４のいずれかに記載の画像処理装置と
を備えた画像読取装置。
【請求項６】
請求項５に記載の画像読取装置と、
前記画像処理装置から出力される前記予め定められた処理後の画像を記録媒体に形成する画像形成部と
を備えた画像形成装置。
【発明の詳細な説明】
【技術分野】
【０００１】
本発明は、複写機やスキャナ等の画像読取装置で得られた画像に対して画像処理を行う画像処理装置、画像読取装置及び画像形成装置に属するものである。
【背景技術】
【０００２】
複写機やスキャナ等の画像読取装置においては、読取動作で得られた画像に対する圧縮処理などの各種画像処理をできるだけ短時間で（高速で）行える技術が要求されており、該技術に関連する文献として、例えば下記特許文献１，２がある。
【０００３】
下記特許文献１には、「データ処理装置１０によれば、転送されてきたデータを受信データ１０ａとして展開用メモリ１１にデータ展開し、展開用メモリ１１上の現アドレス以降において展開用メモリ１１上の白画像のみで占有されるデータエリアの境界のアドレスを白画像占有境界アドレスＷadrとしてアドレス検出手段１２が検出し、これに応じて、転送制御手段１３が、データの転送を行う際に白画像占有境界アドレスＷadr以降のアドレスに対応する展開用メモリ１１上に展開されている受信データ１０ａの転送を停止する制御を実行することにより、データ転送回数を減らすことによって全体のデータ処理速度を容易に向上させることができるようになる（［００３６］）」、「データ圧縮手段１６が、白占有副走査ラインメモリ１５から白占有副走査ライン数データ１４ａを読み出し、読み出した白占有副走査ライン数データ１４ａに従って展開用メモリ１１上の白画像にかかるビットマップデータのみで占有されている副走査ラインを省略した状態で展開用メモリ１１上のビットマップデータのデータ圧縮を実行し、転送タイミング制御手段１７が、白占有副走査ラインメモリ１５から白占有副走査ライン数データ１４ａを読み出し、読み出した白占有副走査ライン数データ１４ａに基づいて、展開用メモリ１１上の白画像にかかるビットマップデータのみで占有されている副走査ラインを監視して画像形成部３２へのＤＭＡ転送停止タイミングまたは画像形成部３２へのＤＭＡ転送開始タイミングの制御を行うので、画像形成部３２へのＤＭＡ転送時のＣＰＵ負荷の軽減を図ることができるようになる（［００５６］）」と記載されている。
【０００４】
下記特許文献２には、「スキャナ部１０５による画像の読み取りを高速化するために、ＭＦＰ１００はプレスキャンを行う。プレスキャンとは、比較的低い解像度や色深度で読み取り元媒体から画像を読み取ることである。プレスキャンは解像度や色深度を低くするため、画像の読み取りを比較的高速に行うことができる。本実施形態では、ＭＦＰ１００はプレスキャンによって読み取り元媒体の白領域を検出する。白領域とは、読み取り元媒体における所定の領域の画像の全画素が白である領域を意味する。・・・（中略）・・・白領域は、画像処理部１０６による画像処理を行う必要がないため、白領域の検出は、プレスキャンに続いて行う、比較的高い解像度及び色深度でのスキャン（以下、「本スキャン」と呼ぶ）の高速化に寄与する。また、主走査方向に関してすべての領域が白領域である場合、副走査においてその領域を読み飛ばすことができ、その際にスキャナ部１０５のスキャナヘッドを加速させることができるため、本スキャンをさらに高速化することができる（［００３４］〜［００３７］）」と記載されている。
【特許文献１】特開平１１−１４６１６０号公報
【特許文献２】特開２００７−８１８８７号公報
【発明の開示】
【発明が解決しようとする課題】
【０００５】
前記特許文献１の技術では、白画像で占有されている領域については、領域ごとに白画像が記録される。しかしながら、このように同一の画像（白画像）を複数個メモリに記憶するのは、無駄にメモリの記憶領域を使用しているものと考えられる。
【０００６】
前記特許文献２の技術においては、白領域であることを判別するためにプレスキャンを行う必要があり、本スキャン時に、白領域に対するスキャナ移動を高速にできるとはいっても、プレスキャンを行う分、読取に要する時間が増大する。また、前記特許文献２は、白領域とそうでない領域とでスキャナヘッドの速度を変化させる構成であり、細かいスキャナの速度調整が必要となるため、コストの増大等を招来する。
【０００７】
本発明は、上述した問題点を解決するためになされたものであり、コストアップの増大を回避又は抑制しつつ、より短時間で画像処理を行うことのできる技術を提供することを目的とする。
【課題を解決するための手段】
【０００８】
請求項１に記載の発明は、１の頁に形成された画像を複数の画像領域に分けて原稿読取部から取り込む画像取得部と、前記画像取得部により取得された各画像領域の画像について、当該画像領域の画像全体が予め定められた範囲の画素値からなるものであるか否かを各画像領域の画像ごとに判定する判定部と、各画像領域の画像についての前記判定部による判定結果と、前記判定部により画像全体が前記予め定められた範囲の画素値からなるものであるとは判定されなかった画像領域の画像とを記憶する第１の記憶部と、前記第１の記憶部に格納された画像に対して予め定められた処理を行う処理部と、前記予め定められた範囲の画素値からなる画像の前記予め定められた処理後の画像を予め記憶する第２の記憶部と、各画像領域についての前記予め定められた処理後の画像を合成する画像合成部とを備え、前記画像合成部は、前記予め定められた範囲の画素値からなる画像を持つ第１の画像領域については、前記第２の記憶部に記憶された画像を合成対象として採用し、前記第１の画像領域以外の第２の画像領域については、前記処理部から出力される当該画像領域についての画像を合成対象として採用する画像処理装置である。
【０００９】
この発明によれば、画像取得部により、１の頁に形成された画像が複数の画像領域に分けて原稿読取部から取り込まれる。そして、判定部により、前記画像取得部により取得された各画像領域の画像について、当該画像領域の画像全体が予め定められた範囲の画素値からなるものであるか否かが各画像領域の画像ごとに判定され、第１の記憶部により、各画像領域の画像についての前記判定部による判定結果と、前記判定部により画像全体が予め定められた範囲の画素値からなるものであるとは判定されなかった画像領域の画像とが記憶される。
【００１０】
次に、処理部により、前記第１の記憶部に格納された画像に対して予め定められた処理が行われる。一方、第２の記憶部により、前記予め定められた範囲の画素値からなる画像の前記予め定められた処理後の画像が予め記憶されている。
【００１１】
そして、画像合成部により、前記予め定められた範囲の画素値からなる画像を持つ第１の画像領域については、前記第２の記憶部に記憶された画像が合成対象として採用され、また、前記第１の画像領域以外の第２の画像領域については、前記処理部から出力される当該画像領域についての画像が合成対象として採用され、各画像領域についての前記画像処理後の画像が合成される。
【００１２】
このように、各画像領域の画像について、当該画像領域の画像全体が予め定められた範囲の画素値からなるものであるか否かの判定を、原稿読取部で得られた画像を記憶部に格納する前に行うようにしたので、前記画像を記憶部に格納した後に前記判定を行う場合に比して、判定終了までに要する時間を短縮化することができる。
【００１３】
また、各画像領域の画像についての前記判定部による判定結果と、前記判定部により画像全体が前記予め定められた範囲の画素値からなるものであるとは判定されなかった画像領域の画像とを前記第１の記憶部に格納する一方、予め定められた範囲の画素値からなる画像であると判定された画像領域の画像については、前記記憶部に格納しないようにしたので、予め定められた範囲の画素値からなる画像も含めて前記第１の記憶部に格納する場合に比して、前記第１の記憶部の記憶容量を小さくすることができる。
【００１４】
また、前記予め定められた範囲の画素値からなる画像を持つ画像領域については、前記予め定められた範囲の画素値からなる画像の前記予め定められた処理後の画像を前記第２の記憶部に予め記憶しておき、前記予め定められた範囲の画素値からなる画像を持つ第１の画像領域については、前記第２の記憶部に記憶された画像を合成対象として採用し、前記第１の画像領域以外の第２の画像領域については、前記処理部から出力される当該画像領域についての画像を合成対象として採用して、各画像領域についての前記画像処理後の画像を合成するようにしたので、全ての画像領域の画像に対してそれぞれ前記処理部で前記予め定められた処理を行う場合に比して、前記各画像領域についての前記予め定められた処理後の画像を合成した合成画像を短時間で得ることができる。
【００１５】
前記第２の記憶部は、請求項２に記載の発明のように、前記処理部に設けられていてもよい。
【００１６】
請求項３に記載の発明のように、前記予め定められた範囲の画素値からなる画像が白色の画像である場合に、特に請求項１に記載の発明が有効なものとなる。
【００１７】
前記処理部としては、例えば請求項４に記載の発明のように、画像のデータ量を圧縮する圧縮処理を行うものが想定される。
【００１８】
請求項５に記載の発明は、原稿の画像を読み取る原稿読取部と、前記原稿読取部の読取動作で得られた画像に対して前記予め定められた処理を行う請求項１乃至４のいずれかに記載の画像処理装置とを備えた画像読取装置である。
【００１９】
請求項６に記載の発明は、請求項５に記載の画像読取装置と、前記画像処理装置から出力される前記画像処理後の画像を記録媒体に形成する画像形成部とを備えた画像形成装置である。
【００２０】
請求項５，６に記載の発明によれば、画像読取装置又は画像形成装置において、請求項１乃至４のいずれかに記載の発明が有効なものとなる。
【発明の効果】
【００２１】
本発明によれば、全ての画像領域の画像に対してそれぞれ前記処理部で前記画像処理を行う場合に比して、前記各画像領域についての画像処理後の画像を合成した合成画像を短時間で得ることができる。
【発明を実施するための最良の形態】
【００２２】
本発明に係る画像形成装置の実施形態について説明する。図１は、本発明に係る画像形成装置の一例である複合機の実施形態の電気的な構成を示すブロック図である。
【００２３】
図１に示すように、複合機１は、コピー機能、プリンタ機能、スキャナ機能及びファクシミリ機能等の機能を兼ね備えたものであり、原稿読取部２と、画像形成部３と、ユーザインターフェース部４と、制御部５と、記憶部６と、データ処理部７とを備える。
【００２４】
原稿読取部２は、複数の画素を有してなるＣＣＤ(Charge Coupled Device)センサ及び露光ランプ等からなるスキャナ部（図示せず）を備え、原稿の画像を光学的に読み取って画像を生成するものである。スキャナ部は、図略の駆動部によって移動可能に構成され、所定の原稿台に載置された原稿を読み取るときは、該原稿台に対向する位置で原稿面に沿って移動され、原稿画像を走査しつつ取得した画像を制御部５へ出力する。また、原稿を給送する原稿給送部により給送された原稿を読み取るときは、原稿読取スリットと対向する位置に移動され、原稿読取スリットを介して原稿給送部２４による原稿の搬送動作と同期して原稿の画像を取得し、その画像を制御部５へ出力する。
【００２５】
画像形成部３は、例えばアモルファスシリコンを用いて構成された感光体ドラムと、該感光体ドラムの表面から残留電荷を除電する除電部と、除電後の感光体ドラムの表面を帯電させる帯電部と、原稿読取部２で取得された画像に基づいてレーザ光を出力して感光体ドラムの表面を露光し、当該感光体ドラムの表面に静電潜像を形成する露光部と、前記静電潜像に基づいて感光体ドラム上に、シアン（Ｃ）、マゼンタ（Ｍ）、イエロー（Ｙ）及びブラック（Ｋ）の各色のトナー像を形成する現像部と、感光体ドラムに形成された各色のトナー画像が転写されて重ね合わせされる転写ドラムと、転写ドラム上のトナー像を用紙に転写させる転写部と、トナー像が転写された用紙を加熱してトナー像を用紙に定着させる定着部とを備えている。
【００２６】
ユーザインターフェース部４は、複合機１のフロント部に設けられ、所定の情報を表示する図略の表示部と、ユーザによる各種指示入力が行われる入力操作部（図示せず）とを含むものである。表示部は、前記入力操作部を構成するタッチパネルと一体的に形成されている。タッチパネルは、ユーザによるタッチ操作がなされたときにそのタッチ位置を検知し、該タッチ位置を示す検知信号を後述する制御部３３へ出力する。
【００２７】
制御部５は、画像形成装置全体の動作制御を司るものであり、ＣＰＵ（Central Processing Unit）とＲＡＭ及びＲＯＭ等のメモリとを備えて構成される。前記ユーザインターフェース部４と、原稿読取部２と、画像形成部３と、記憶部６と、データ処理部７は、制御部５による制御の下で動作する。制御部５は、ユーザからユーザインターフェース部４に入力された各種の指示信号等に応じて、図略のＲＯＭ又は前記メモリに記憶されている動作制御プログラムに基づいた処理を実行し、各機能部への指示信号の出力、データ転送等を行って複合機１を統括的に制御する。
【００２８】
データ処理部７は、原稿読取部２の読取動作により得られた画像に対して各種の画像処理を行うものであり、画像処理部７１と、白画像判別処理部７２と、判別結果転送部７３と、画像転送部７４とを備える。
【００２９】
画像処理部７１は、原稿読取部２から画像を受け取り、１頁分の画像を複数の画像領域（以下、この画像領域をバンドという）に分割し、バンドごとに、シェーディング補正、ＭＴＦ補正、色収差補正等の画像処理を行う。なお、図２（ａ）は、１頁分の画像を示すと共に、この画像が縦に７つのバンドＢ１〜Ｂ７に分割されている例を示している。
【００３０】
白画像判別部７２は、各バンドの画像が均一な白画像であるか否かをバンドごとにそれぞれ判別するものである。なお、白画像の定義として、各画素がとり得る画素値として０〜２５５の２５６段階の画素値を想定したとき、例えば画素値「２５６」の画素のみを白画像とするものとしてもよいし、２５０以上の画素値を有する画像を白画像とするものでもよい。白画像判別部７２は、当該バンドの画像が均一な白画像であると判別したときには、その旨を示すデータ「１」を、当該バンドの画像が均一な白画像で無いと判別したときには、その旨を示すデータ「０」を判別結果として出力する。
【００３１】
判別結果転送部７３は、白画像判別部７２による判別結果を記憶部６の判別結果記憶領域６１に転送して格納する。画像転送部７４は、画像処理部７１による画像処理後の画像のうち、前記白画像判別部７２により均一な白画像ではないと判別された画像を記憶部６の圧縮前画像記憶領域６２に転送して格納する。
【００３２】
記憶部６は、白画像判別部７２による判別結果を記憶する判別結果記憶領域６１と、画像処理部７１による画像処理後の画像であって、前記白画像判別部７２により均一な白画像ではないと判別された画像を記憶する圧縮前画像記憶領域６２と、後述する圧縮処理後の画像を記憶する圧縮後画像記憶領域６３とを有する。
【００３３】
前記判別結果記憶領域６１には、図２（ｂ）に示すように、バンド名と判別結果とがテーブル形式で記憶される。図２（ａ）で示す例では、前記圧縮前画像記憶領域６２には、図２（ｃ）に示すように、前記白画像判別部７２により均一な白画像ではないと判別された画像のみが記憶される。仮に、圧縮前画像記憶領域６２に記憶される各画像のみを合成すると、図２（ｄ）に示すような画像が形成される。
【００３４】
圧縮部８は、制御部５からの開始指示を受けて、予め定められた圧縮比で画像の圧縮処理を行うものである。ここで、圧縮部８は、前記記憶部６に格納された判別結果に応じて、各バンドについての処理内容が異なる。
【００３５】
すなわち、圧縮部８は、前記各判別結果に１つずつ順番に着目していき、該判別結果「０」が対応付けられたバンドの画像については前記圧縮処理を行い、その圧縮処理後の画像（圧縮画像）が圧縮後画像記憶領域６３に格納される。また、圧縮部８は、圧縮白画像記憶部８１を備えている。本実施形態の複合機１には、仮に白画像判別部７２により判定がなされた場合は均一な白画像であると判定される画像を前記圧縮比で圧縮したもの（以下、これを圧縮白画像という）が予め用意されており、この圧縮白画像が前記圧縮白画像記憶部８１に予め格納されている。なお、この圧縮白画像は、前記画像処理部７１による各画像処理もすでに行われたものである。そして、圧縮部８は、前記判別結果「１」が対応付けられたバンドについては、前記圧縮部８において前記圧縮処理を行わず、前記圧縮白画像記憶部８１から前記圧縮白画像を読み出して、この圧縮白画像を当該バンドについての圧縮画像として記憶部６の圧縮後画像記憶領域６３に格納する。
【００３６】
図２で示す例で説明すると、バンドＢ２，Ｂ３，Ｂ５〜Ｂ７の各画像については、均一な白画像ではないため、それらの画像に対して圧縮部８による圧縮処理が実施され、その圧縮処理後の画像（圧縮画像）が圧縮後画像記憶領域６３に格納される。一方、バンドＢ１，Ｂ４の各画像については、均一な白画像であるため、それらの画像に対する圧縮処理が圧縮部８によって実施されることはなく、圧縮白画像記憶部８１から圧縮白画像が読み出され、この圧縮白画像が当該バンドについての圧縮画像として圧縮後画像記憶領域６３に格納される。なお、各圧縮画像は、図２（ｅ）に示すように、バンド順に格納される。また、図２（ｅ）において、ハッチングが施されているバンドは、白画像であると判定された画像をもつバンドである。
【００３７】
その結果、圧縮後画像記憶領域６３には、一連のアドレス（記憶領域）において全バンドＢ１〜Ｂ７の圧縮画像が順番に格納されることとなり、各バンドＢ１〜Ｂ７の圧縮画像が前記圧縮後画像記憶領域６３内で合成される。
【００３８】
図３は、原稿読取部２及びデータ処理部７の処理を示すフローチャートである。
【００３９】
図３に示すように、複写指示がユーザにより行われると（ステップ♯１でＹＥＳ）、原稿読取部２は、原稿に対する読取動作を実施し（ステップ♯２）、画像処理部７１は、前記原稿読取部２から画像を受け取って、この受け取った画像を複数のバンドに分割し、各バンドの画像に対してそれぞれシェーディング補正等の画像処理を行う（ステップ♯３）。次に、白画像判別処理部７２は、前記画像処理部７１により画像処理が行われた各バンドの画像が白画像であるか否かを判定する（ステップ♯４）。白画像判別処理部７２は、前記判別の結果、白画像であると判定されたバンドの画像については（ステップ♯５でＹＥＳ）、その判別結果のみを記憶部６の判別結果記憶領域６１に格納する一方（ステップ♯６）、白画像でないと判定されたバンドの画像については（ステップ♯５でＮＯ）、その画像と前記判別結果とを、前記記憶部６の判別結果記憶領域６１及び画像記憶領域６２にそれぞれ記憶する（ステップ♯７）。
【００４０】
図４は、圧縮部８の動作を示すフローチャートである。
【００４１】
図４に示すように、圧縮部８は、制御部５から圧縮処理を開始する旨の指示を受けると、前記記憶部６の判別結果記憶領域６１から各バンドについての判別結果を読み出す（ステップ♯１１）。圧縮部８は、白画像である旨を示す判別結果「１」が対応付けられたバンドについては（ステップ♯１２でＹＥＳ）、圧縮白画像記憶部８１から圧縮白画像を読出して、この読み出した圧縮白画像を当該バンドについての圧縮画像として圧縮後画像記憶領域６３に格納する一方（ステップ♯♯１３）、白画像ではないことを示す判別結果「０」が対応付けられたバンドについては（ステップ♯１２でＮＯ）、当該バンドの画像に対して圧縮処理を施した後、この圧縮画像を圧縮後画像領域６３に格納する（ステップ♯１４）。そして、圧縮部８は、全バンドについて、ステップ♯１２〜♯１４の処理が完了したか否かを判断し（ステップ♯１５）、処理が完了していないと判断した場合には（ステップ♯１５でＮＯ）、ステップ♯１２の処理に戻る一方、処理が完了したと判断した場合には（ステップ♯１５でＹＥＳ）、一連の処理を終了する。
【００４２】
以上のように、本実施形態では、原稿読取部２で得られた画像を記憶部６に格納する前に、各バンドの画像が白画像であるか否かの判定をそれぞれ行うようにしたので、前記画像を記憶部６に格納した後に前記白画像の判定を行う場合に比して、前記白画像の判定処理を行う前に、記憶部６から画像を読み出す処理を行わない分、白画像の判定終了までに要する時間を短縮化することができる。
【００４３】
また、白画像であると判断されたバンドについては、白画像であると判定された判定結果のみを記憶部６に格納し、画像の格納を行わないようにしたので、画像も格納する場合に比して、データ処理部７による処理後の画像等を記憶する記憶領域を少なくすることができる。したがって、当該複合機１に用意する記憶部６として、前記画像も格納する構成に比して記憶容量の小さい記憶部を採用することが可能となる。
【００４４】
また、前記圧縮部８により、前記記憶部６に格納された画像、すなわち白画像ではないと判定された画像を持つバンドに対してのみ圧縮処理を行う一方、前記白画像であると判定された画像を持つバンドについては、圧縮白画像を予め記憶部６に記憶しておき、前記圧縮処理を行わないで前記記憶部６に予め記憶された圧縮白画像を、当該バンドの圧縮画像として採用するようにしたので、全てのバンドの画像に対し、それぞれ圧縮部８によって前記圧縮処理を行う場合に比して、前記各バンドの圧縮画像を合成した合成画像を短時間で得ることができる。
【００４５】
本件は、前記実施形態に代えて、或いは前記実施形態に加えて次のような変形形態も採用可能である。
【００４６】
［１］前記実施形態では、前記圧縮白画像を圧縮部８で保持するようにしたが、この保持形態に限定されず、図５に示すように、制御部５（圧縮白画像記憶部５１）に保持しておいても良い。この場合、圧縮処理を実施する際に、圧縮部８（圧縮白画像転送部８２）が制御部５から前記圧縮白画像を受け取り、圧縮白画像転送部８２が、その受け取った圧縮白画像を記憶部６に格納する構成としてもよい。
【００４７】
［２］前記実施形態では、判別結果のみを記憶したり、圧縮処理を行わないで該圧縮処理後の画像を予め保持しておいたりする対象の画像を均一な白画像としたが、本件は、これに限らず、均一な濃度を有するグレーや青色等の画像でもよく、要は、色及び濃度が均一な画像であればよい。
【００４８】
［３］前記記憶部６に格納された画像に対して実施する処理は、前記圧縮処理に限定されない。所定値を超える画素値をカットするハイパスフィルタ処理や所定値より小さい画素値をカットするローパスフィルタ処理或いは、画像の倍率を変更する変倍処理でもよい。
【図面の簡単な説明】
【００４９】
【図１】本発明に係る画像形成装置の一例である複合機の実施形態の電気的な構成を示すブロック図である。
【図２】本発明の特徴部分の説明図である。
【図３】画像読取部及びデータ処理部の処理を示すフローチャートである。
【図４】圧縮部の動作を示すフローチャートである。
【図５】本発明の変形形態の電気的な構成を示すブロック図である。
【符号の説明】
【００５０】
１    複合機
２    原稿読取部
３    画像形成部
４    ユーザインターフェース部
５    制御部
６    記憶部
７    データ処理部
７１  画像処理部
７２  白画像判別処理部
７３  判別結果転送部
７４  画像転送部
【図１】
2010041383.tif 000003
【図２】
2010041383.tif 000004
【図３】
2010041383.tif 000005
【図４】
2010041383.tif 000006
【図５】
2010041383.tif 000007